(57)【要約】【課題】音声出力板の取付け、取外しの作業性を向上することができる音声出力装置を提供する。【解決手段】支持体２に支持される音源を覆い、該音源で発生した音声を外部に出力する音声出力板３に、係止凹部３３を有する複数の可撓片３２を設け、支持体２に、可撓片３２が挿入される挿通孔２１と、該挿通孔２１に挿入された可撓片３２に当接して該可撓片３２を撓ませる当接部２４と、該可撓片３２の弾性復元により係止凹部３３に係合する係止凸部２３とを設け、可撓片３２の夫々を挿通孔２１に挿入することにより音声出力板３を支持体２に取付けることができるようにした。【選択図】図１０
2007295271.tif 000002
【特許請求の範囲】
【請求項１】
音源を支持する支持体と、前記音源を覆い、該音源で発生した音声を外部に出力する音声出力板とを備える音声出力装置において、前記音声出力板は、係止凸部及び該係止凸部に係合することを可能とした係止凹部の一方を有する複数の可撓片を備え、前記支持体は前記可撓片が挿通される挿通孔と、前記係止凸部及び係止凹部の他方とを有することを特徴とする音声出力装置。
【請求項２】
前記可撓片は前記係止凹部を有し、前記支持体は前記挿通孔の孔縁部から延出された延出片、及び該延出片の先端部に突設された前記係止凸部を有する請求項１記載の音声出力装置。
【請求項３】
前記係止凸部及び可撓片の一方は他方と当接することにより前記可撓片を撓ませるべき当接部を有する請求項２記載の音声出力装置。
【請求項４】
前記挿通孔の出口部に、前記可撓片の撓みを許容する凹所を有する請求項２又は３記載の音声出力装置。
【請求項５】
表示面を有する表示部と、該表示部の一側に装着される請求項１乃至４の何れか一つに記載の音声出力装置とを備えることを特徴とする表示装置。
【発明の詳細な説明】
【技術分野】
【０００１】
本発明は音源で発生した音声を外部に出力する音声出力装置、及び該音声出力装置を備える表示装置に関する。
【背景技術】
【０００２】
音声出力装置はテレビ等の表示装置に用いられている。また、音声出力装置は、前記表示装置のフロントキャビネットの下部と一体に形成され、音源を支持する支持体と、前記音源で発生した音声を外部に出力する音声出力孔を有し、前記支持体に取付けられるパンチングネット等の音声出力板とを備える（例えば特許文献１参照）。
【０００３】
また、音声出力装置は、図１７に示すように音声出力板１００の周縁部に複数の取付片１０１を設け、該取付片１０１の夫々が挿通される挿通孔１０２を支持体１０３に設け、取付片１０１の夫々を挿通孔１０２に挿通した後、該取付片１０１の夫々の先端部を折曲げることにより音声出力板１００を支持体１０３に取付けるように構成されたものが知られている。
【特許文献１】特開平５−１８３９７７号公報
【発明の開示】
【発明が解決しようとする課題】
【０００４】
ところが、取付片１０１を備える構成にあっては、複数の取付片１０１を挿通孔１０２に挿通する工程と、挿通した取付片１０１の夫々を折曲げる工程とが必要であるため、組立て作業性が悪く、コスト高となるし、また、補修、廃棄時に音声出力板を取外す場合はすべての取付片１０１の曲がりを延ばす作業が必要であるため、作業性が悪く、改善策が要望されていた。
【０００５】
本発明は斯かる事情に鑑みてなされたものであり、主たる目的は係止凹部及び係止凸部の一方を有する複数の可撓片を音声出力板に設け、前記可撓片が挿通される挿通孔と、前記係止凸部及び係止凹部の他方とを有する構成とすることにより、音声出力板の取付け、取外しの作業性を向上することができる音声出力装置を提供することにある。
【０００６】
また、他の目的は可撓片に係止凹部を設け、挿通孔の孔縁部から延出された延出片と、該延出片の先端部に突設された被係止凸部とを支持体に設けることにより、可撓片に対する挿通孔の開口面積を比較的狭くすることができる音声出力装置を提供することにある。
【０００７】
また、他の目的は前記係止凸部及び可撓片の一方に、他方と当接することにより前記可撓片を撓ませるべき当接部を設けることにより、可撓片を撓ませ易くでき、音声出力板をより一層容易に取付けることができる音声出力装置を提供することにある。
【０００８】
また、他の目的は挿通孔の出口部に、可撓片の撓みを許容する凹所を設けることにより、可撓片に対する開口面積が比較的狭い挿通孔に可撓片を容易に挿通することができる音声出力装置を提供することにある。
【０００９】
また、他の目的は表示部の一側に前記音声出力装置を備える構成とすることにより、音声出力装置の音声出力板の取付け、取外しの作業性を向上することができる表示装置を提供することにある。
【課題を解決するための手段】
【００１０】
本発明に係る音声出力装置は、音源を支持する支持体と、前記音源を覆い、該音源で発生した音声を外部に出力する音声出力板とを備える音声出力装置において、前記音声出力板は、係止凸部及び該係止凸部に係合することを可能とした係止凹部の一方を有する複数の可撓片を備え、前記支持体は前記可撓片が挿通される挿通孔と、前記係止凸部及び係止凹部の他方とを有することを特徴とする。
【００１１】
この発明にあっては、音声出力板の可撓片を挿通孔に挿入することにより、係止凸部と係止凹部とを係合させて音声出力板を取付けることができる。また、可撓片を撓ませることにより前記係止凹部と被係止凸部との係合を離脱することができ、音声出力板を容易に取外すことができる。
【００１２】
また、本発明に係る音声出力装置は、前記可撓片は前記係止凹部を有し、前記支持体は前記挿通孔の孔縁部から延出された延出片、及び該延出片の先端部に突設された前記係止凸部を有することを特徴とする。
【００１３】
この発明にあっては、可撓片が係止凹部を有し、挿通孔の孔縁部から延出された延出片が被係止凸部及び当接部を有するため、可撓片に対する挿通孔の開口面積を比較的狭くすることができ挿通孔に塵埃を侵入し難くでき、また、音声出力板の外観を良好にできる。
【００１４】
また、本発明に係る音声出力装置は、前記係止凸部及び可撓片の一方は他方と当接することにより前記可撓片を撓ませるべき当接部を有することを特徴とする。
【００１５】
この発明にあっては、可撓片を挿通孔に挿入することにより、係止凸部及び可撓片の他方が当接部に当接し、該当接部により可撓片が撓み、当接部との当接が離脱した状態で可撓片の弾性復元により係止凹部と係止凸部とが係合し、音声出力板をより一層容易に取付けることができる。
【００１６】
また、本発明に係る音声出力装置は、前記挿通孔の出口部に、前記可撓片の撓みを許容する凹所を有することを特徴とする。
【００１７】
この発明にあっては、挿通孔に挿入されて可撓片が当接部に当接して撓むとき、可撓片を凹所に受入れることができるため、可撓片を撓み易くでき、可撓片に対する開口面積が比較的狭い挿通孔に可撓片を容易に挿通することができる。
【００１８】
また、本発明に係る表示装置は、表示面を有する表示部と、該表示部の一側に装着される請求項１乃至４の何れか一つに記載の音声出力装置とを備えることを特徴とする。
【００１９】
この発明にあっては、表示部の一側に装着されている音声出力装置の音声出力板を、該音声出力板の可撓片を挿通孔に挿入することにより音声出力板を容易に取付けることができる。また、可撓片を撓ませることにより前記係止凹部と被係止凸部との係合を離脱することができ、音声出力板を容易に取外すことができる。
【発明の効果】
【００２０】
以上詳述したように本発明によれば、音声出力板の可撓片を挿通孔に挿入することにより、係止凸部と係止凹部とが係合するため、音声出力板の取付けを容易に行うことができ、また、可撓片を撓ませることにより前記係止凹部と被係止凸部との係合を離脱することができるため、音声出力板の取外しを容易に行うことができ、音声出力板の取付け、取外しの作業性を向上することができる。
【００２１】
また、本発明によれば、可撓片に対する挿通孔の開口面積を比較的狭くすることができ挿通孔に塵埃を侵入し難くでき、また、音声出力板の外観を良好にできる。
【００２２】
また、本発明によれば、可撓片を挿通孔に挿入することにより、当接部により可撓片を撓ませることができるため、音声出力板をより一層容易に取付けることができる。
【００２３】
また、本発明によれば、可撓片を撓み易くでき、可撓片に対する開口面積が比較的狭い挿通孔に可撓片を容易に挿通することができる。
【００２４】
また、本発明によれば、表示部の一側に装着されている音声出力装置の音声出力板を容易に取付け、取外すことができ、音声出力板の取付け、取外しの作業性を向上することができる。
【発明を実施するための最良の形態】
【００２５】
以下本発明をその実施の形態を示す図面に基づいて詳述する。図１は本発明に係る音声出力装置が装着された表示装置の一部の構成を示す断面図、図２は表示装置のフロントキャビネットの構成を示す概略正面図、図３は表示装置のフロントキャビネットの構成を示す概略縦断側面図、図４は本発明に係る音声出力装置の支持体の構成を示す拡大正面図、図５は音声出力装置の音声出力板の構成を示す正面図、図６は音声出力板の構成を示す平面図、図７は音声出力板の構成を示す底面図、図８は音声出力板の構成を示す縦断側面図、図９は音声出力装置の要部の構成を示す分解した断面図、図１０は要部の構成を示す拡大断面図、図１１は支持体の一部を拡大した正面図、図１２は支持体の一部を拡大した背面図、図１３は音声出力板の一部を拡大した平面図である。
【００２６】
図示した音声出力装置は、テレビ画像を表示し、前面視略直方形をなす表示装置９の下部に装着されるものであり、ウーハ等の音源１と、該音源１を支持し、表示装置９のフロントキャビネット９１と一体成形される支持体２と、該支持体２の前面及び音源１を覆い、音源１で発生した音声を外部に出力する音声出力孔群３１を有する音声出力板３とを備えており、上下の幅に比べて横方向長さが比較的長い略直方形に形成されている。
【００２７】
音源１は低音の音波を発生するウーハと、中高音の音波を発生するスコーカと、高音の音波を発生するツィータとを備え、これらが横方向に離隔して並置されている。
【００２８】
支持体２は合成樹脂製であり、横方向両側に２組の音源１を支持する支持部が設けられており、周縁部に複数の挿通孔２１が長手方向に離隔して設けられている。挿通孔２１の夫々は断面矩形をなし、一方の長辺部から内方に向けて延出片２２が延出されており、該延出片２２の先端部に、挿通孔２１と向き合い後記する係止凹部３３に係合する係止凸部２３と、該係止凸部２３の挿通孔２１と向き合う側面に設けられ、後記する可撓片３２に当接して該可撓片３２を撓ませる当接部２４とを有する。係止凸部２３は四角柱形をなし、可撓片３２の約二倍の高さを有する。当接部２４は挿通孔２１の孔芯に対して傾斜し、可撓片３２の先端が突設するように形成されている。また、挿通孔２１の出口部で、且つ他方の長辺部には可撓片３２の撓みを許容する凹所２５を設けてある。この凹所２５は挿通孔２１の孔芯に対して当接部２４と同方向へ傾斜している。
【００２９】
音声出力板３は支持体２に対応する矩形をなし、周縁部に、挿通孔２１に挿通される複数の可撓片３２が長手方向に離隔して設けられている。可撓片３２は挿通孔２１に対応する箇所に支持体２に向けて延出されており、係止凸部２３に係合する係止凹部３３が夫々の可撓片３２に設けられている。係止凹部３３は四角形をなす。また、音声出力板３はステンレス等の金属板を成形してなり、可撓片３２を挿通孔２１の孔芯と直交する方向へ撓み可能にしてある。
【００３０】
以上のように構成された音声出力装置は、表示装置９のフロントキャビネット９１の下部と一体に成形された支持体２の支持部に音源１が取付けられており、支持体２の挿通孔２１に、音声出力板３の周縁部に突設された可撓片３２の夫々を挿入することにより、音声出力板３を支持体２に取付ける。
【００３１】
図１４は音声出力板３の取付過程を示す説明図である。可撓片３２を挿通孔２１に挿入するとき、可撓片３２の先端が係止凸部２３の当接部２４に当接し（図１４の(a) 参照）、音声出力板３の押付力により可撓片３２が当接部２４に沿って挿通孔２１の孔芯と直交する方向へ撓みつつ挿入され、さらに係止凸部２３の頂面に係止凹部３３の孔縁が当接しつつ挿入され（図１４の(b) 参照）、該孔縁と頂面との係合が離脱したとき、可撓片３２が弾性復元し、係止凹部３３を係止凸部２３に係合させることができる。また、当接部２４に当接した可撓片３２が撓むとき、挿通孔２１の出口部に設けられている凹所２５により可撓片３２を撓み易くすることができ、比較的小さい力で音声出力板３を取付けることができる。このように音声出力板３の可撓片３２の夫々を支持体２の挿通孔２１に挿入する作業を行うことにより、係止凹部３３を係止凸部２３に係合させることができ、音声出力板３を支持体２に取付けることができるため、音声出力板３の取付作業性を向上できる。
【００３２】
また、補修作業、解体作業時など音声出力板３を取外す必要があるとき、可撓片３２の先端部を工具等で押圧して可撓片３２を撓ませることにより係止凹部３３の係止凸部２３との係合を離脱することができ、この状態で音声出力板３を引張ることにより該音声出力板３を容易に取外すことができる。
【００３３】
図１５は音声出力装置が装着された表示装置の構成を示す斜視図である。以上のように音声出力装置が装着される表示装置９は、テレビ画像等を表示する表示面９２ａを有する表示部９２と、該表示部９２の周縁部を取り囲むフロントキャビネット９１と、表示部９２の後側を覆うリアキャビネット９３と、表示部９２を起立状態に支持するスタンド９４とを備え、表示面９２ａに表示される画像に対応した音声が音源１から出力されるように構成される。
【００３４】
図１６は音声出力装置の要部の他の構成を示す断面図である。以上説明した実施の形態では支持体２が係止凸部２３及び当接部２４を有し、音声出力板３の可撓片３２が係止凹部３３を有する構成としたが、その他、図１６に示すように可撓片３２が係止凸部２３及び湾曲する当接部２４を有し、支持体２が係止凹部３３を有する構成としてもよい。また、当接部２４は図９に示すように係止凸部２３に設ける構成とする他、可撓片３２の先端部に設ける構成としてもよい。
【００３５】
また、本発明に係る表示装置は液晶テレビ等の液晶表示装置である他、プラズマ表示装置、ＥＬディスプレイ等の表示装置であってもよい。
【図面の簡単な説明】
【００３６】
【図１】本発明に係る音声出力装置が装着された表示装置の一部の構成を示す断面図である。
【図２】表示装置のフロントキャビネットの構成を示す概略正面図である。
【図３】表示装置のフロントキャビネットの構成を示す概略縦断側面図である。
【図４】本発明に係る音声出力装置の支持体の構成を示す拡大正面図である。
【図５】音声出力装置の音声出力板の構成を示す正面図である。
【図６】音声出力板の構成を示す平面図である。
【図７】音声出力板の構成を示す底面図である。
【図８】音声出力板の構成を示す縦断側面図である。
【図９】音声出力装置の要部の構成を示す分解した断面図である。
【図１０】音声出力装置の要部の構成を示す拡大断面図である。
【図１１】支持体の一部を拡大した正面図である。
【図１２】支持体の一部を拡大した背面図である。
【図１３】音声出力板の一部を拡大した平面図である。
【図１４】音声出力板の取付過程を示す説明図である。
【図１５】本発明に係る音声出力装置が装着された表示装置の構成を示す斜視図である。
【図１６】音声出力装置の要部の他の構成を示す断面図である。
【図１７】従来の音声出力装置の一部を拡大した断面図である。
【符号の説明】
【００３７】
１    音源
２    支持体
２１  挿通孔
２２  延出片
２３  係止凸部
２４  当接部
２５  凹所
３    音声出力板
３２  可撓片
３３  係止凹部
９２  表示部
９２ａ  表示面
【図１】
2007295271.tif 000003
【図２】
2007295271.tif 000004
【図３】
2007295271.tif 000005
【図４】
2007295271.tif 000006
【図５】
2007295271.tif 000007
【図６】
2007295271.tif 000008
【図７】
2007295271.tif 000009
【図８】
2007295271.tif 000010
【図９】
2007295271.tif 000011
【図１０】
2007295271.tif 000012
【図１１】
2007295271.tif 000013
【図１２】
2007295271.tif 000014
【図１３】
2007295271.tif 000015
【図１４】
2007295271.tif 000016
【図１５】
2007295271.tif 000017
【図１６】
2007295271.tif 000018
【図１７】
2007295271.tif 000019